(57)【要約】【課題】室内の炭酸ガス濃度に応じて風量制御を行いつつ、必要な湿度調整能力を得ることができる加湿機能および除湿機能のうち少なくとも一方を備えた空調用換気装置を提供すること。【解決手段】室内空気から炭酸ガス濃度を検知する炭酸ガスセンサー２０と、少なくとも炭酸ガスセンサー２０から取得した情報に応じて給気用送風機２および排気用送風機３の風量を制御して室内の換気風量を制御する制御部１４と、室内の湿度調整を行う湿度調整手段と、少なくとも室内の湿度の調整を優先する湿度優先、および室内の換気風量の調整を優先する換気優先の優先モードのうち、いずれか一つを設定する優先モード設定手段と、を備え、制御部１４は、優先モード設定手段により優先モードが湿度優先に設定された場合は、換気風量を制御する範囲を変更するものである。【選択図】図３
2015172472.tif 000002
【特許請求の範囲】
【請求項１】
外気を室内へ給気するための給気風路、および室内空気を室外へ排気するための排気風路を備えた本体ケーシングと、
前記給気風路内に設置された給気用送風機と、
前記排気風路内に設置された排気用送風機と、
前記給気風路を通過する外気と前記排気風路を通過する室内空気との間で熱交換を行う熱交換器と、
室内空気から炭酸ガス濃度を検知する炭酸ガスセンサーと、
少なくとも前記炭酸ガスセンサーから取得した情報に応じて前記給気用送風機および前記排気用送風機の風量を制御して室内の換気風量を制御する制御部と、
室内の湿度調整を行う湿度調整手段と、
少なくとも室内の湿度の調整を優先する湿度優先、および室内の換気風量の調整を優先する換気優先の優先モードのうち、いずれか一つを設定する優先モード設定手段と、を備え、
前記制御部は、
前記優先モード設定手段により前記優先モードが湿度優先に設定された場合は、
前記換気風量を制御する範囲を変更する
ことを特徴とする空調用換気装置。
【請求項２】
前記制御部は、
前記優先モード設定手段により前記優先モードが湿度優先に設定された場合は、
前記換気風量を制御する範囲を、風量不足による異常停止とならない範囲に変更する
ことを特徴とする請求項１に記載の空調用換気装置。
【請求項３】
少なくとも強、弱、微弱、および自動の換気風量のうち、いずれか一つを設定する換気風量設定手段を備え、
前記制御部は、
前記換気風量設定手段により前記換気風量が自動に設定された場合は、
前記炭酸ガスセンサーから取得した前記情報に応じて前記換気風量を制御し、
自動以外に設定された場合は設定された強さに前記換気風量を制御する
ことを特徴とする請求項１または２に記載の空調用換気装置。
【請求項４】
前記制御部は、
前記換気風量設定手段により前記換気風量が自動に設定された場合は、
前記炭酸ガスセンサーから取得した炭酸ガス濃度が、
弱と微弱との間のしきい値以下のときには微弱となるように前記換気風量を制御し、
弱と微弱との間のしきい値を超え、かつ、強と弱との間のしきい値以下のときには弱となるように前記換気風量を制御し、
強と弱との間の切換しきい値を超えたときには強となるように前記換気風量を制御する
ことを特徴とする請求項３に記載の空調用換気装置。
【請求項５】
少なくとも送風、および除湿または加湿の運転モードのうち、いずれか一つを設定する運転モード設定手段を備え、
前記換気風量設定手段により前記換気風量が自動に設定された場合、かつ、前記運転モード設定手段により前記運転モードが前記送風以外に設定された場合に、
前記制御部は前記換気風量を制御する範囲を変更する
ことを特徴とする請求項３または４に記載の空調用換気装置。
【請求項６】
前記制御部は、
前記換気風量設定手段により前記換気風量が自動に設定された場合、かつ、前記運転モード設定手段により前記運転モードが前記送風に設定された場合は、
前記炭酸ガスセンサーから取得した前記情報に応じて強、弱、および微弱のうちいずれか一つに前記換気風量を制御し、
前記換気風量設定手段により前記換気風量が自動に設定された場合、かつ、前記運転モード設定手段により前記運転モードが前記送風に設定された場合は、
風量不足による異常停止となるのを防止するために、
前記炭酸ガスセンサーから取得した前記情報に応じて強および弱のうちいずれか一つに前記換気風量を制御する
ことを特徴とする請求項５に記載の空調用換気装置。
【請求項７】
室内の湿度を検知する湿度センサーを備え、
前記制御部は、
前記湿度センサーから取得した情報が、
加湿運転時であれば予め設定された湿度を超えた場合、または除湿運転時であれば予め設定された湿度未満の場合は前記優先モードを換気優先に切り替え、それ以外の場合は湿度優先に切り替える
ことを特徴とする請求項１〜６のいずれか一項に記載の空調用換気装置。
【請求項８】
人を検知する人感センサーを備え、
前記制御部は、
前記人感センサーから取得した情報が、
人の検知ありの場合は前記優先モードを湿度優先に切り替え、それ以外の場合は換気優先に切り替える
ことを特徴とする請求項１〜６のいずれか一項に記載の空調用換気装置。
【発明の詳細な説明】
【技術分野】
【０００１】
本発明は、室内の炭酸ガス濃度に応じて風量制御を行う湿度調整機能を備えた空調用換気装置に関するものである。
【背景技術】
【０００２】
従来から、空気調和のエネルギーを低減するとともに、快適な空気調和を行うために、給気用送風機によって室外から室内へ導入される給気と、排気用送風機によって室内から室外へ排出される排気との間で熱交換を行わせ、排気との温度差を低減した給気を室内へ導くようにした空調用換気装置がある。
【０００３】
上記のような空調用換気装置が設置される事務所ビルなどでは、通常、室内の在室率を１００％の状態としたときに室内の炭酸ガス濃度が一定値以下、つまり、室内の汚れ度合いが一定値以下となるように換気設計がなされている。一方、文献などの調査によると、実際の室内の在室率は５０％〜７０％であることがほとんどである。そのため、壁面などに設置されたリモコンによって、上記在室率５０％〜７０％に合わせた換気風量が固定値として設定されることが多い。しかし、室内にいる人数は増減するため、人数が増えるにつれて室内の汚れ度合いが大きくなり、設定した換気風量が不足すると室内の汚れ度合いが一定値を超えてしまう。また、少人数あるいは全然人がいない場合には、過剰換気を行うことになるため、省エネ上好ましくない。
【０００４】
そこで、リモコンでタイマーを設定して換気運転を制御することが考えられる。タイマーの設定内容は、運転のＯＮ／ＯＦＦおよび風量切換であり、それらを設定してタイマーによる自動換気運転を行う。詳しくは、１日の時間帯ごとに室内の人数を想定し、それに応じて運転のＯＮ／ＯＦＦ、風量切換を設定する。しかし、適切にタイマー設定を行うことは容易ではない。
【０００５】
そこで、室内の炭酸ガスを検知する炭酸ガスセンサーを室内に設置し、検知した炭酸ガスの濃度に応じて空調用換気装置の風量を制御する技術が提案されている（例えば、特許文献１参照）。
また、室内の炭酸ガスを検知する炭酸ガスセンサーを空調用換気装置の内部に設置し、検知した空調用換気装置内部の炭酸ガスの濃度に応じて空調用換気装置の風量を制御する技術が提案されている（例えば、特許文献２参照）。
【先行技術文献】
【特許文献】
【０００６】
【特許文献１】特許第３５５１１２４号公報
【特許文献２】特開平９−１５９２０８号公報
【発明の概要】
【発明が解決しようとする課題】
【０００７】
しかし、特許文献１に記載の技術では、炭酸ガス濃度に応じた風量制御を主体としているため、湿度調整機能を備えた空調用換気装置において、必要な湿度調整能力が得られないため、室内を適切な湿度に調節することができないという課題があった。
【０００８】
また、特許文献２に記載の技術では、強風量運転のときに加湿能力を増大させるものであるが、排気風路内に加湿器を設置しているため、製品が大きくて重くなるという課題があった。
【０００９】
本発明は、以上のような課題のうち少なくとも１つを解決するためになされたもので、室内の炭酸ガス濃度に応じて風量制御を行いつつ、必要な湿度調整能力を得ることができる湿度調整機能を備えた空調用換気装置を提供することを目的としている。
【課題を解決するための手段】
【００１０】
本発明に係る空調用換気装置は、外気を室内へ給気するための給気風路、および室内空気を室外へ排気するための排気風路を備えた本体ケーシングと、前記給気風路内に設置された給気用送風機と、前記排気風路内に設置された排気用送風機と、前記給気風路を通過する外気と前記排気風路を通過する室内空気との間で熱交換を行う熱交換器と、室内空気から炭酸ガス濃度を検知する炭酸ガスセンサーと、少なくとも前記炭酸ガスセンサーから取得した情報に応じて前記給気用送風機および前記排気用送風機の風量を制御して室内の換気風量を制御する制御部と、室内の湿度調整を行う湿度調整手段と、少なくとも室内の湿度の調整を優先する湿度優先、および室内の換気風量の調整を優先する換気優先の優先モードのうち、いずれか一つを設定する優先モード設定手段と、を備え、前記制御部は、前記優先モード設定手段により前記優先モードが湿度優先に設定された場合は、前記換気風量を制御する範囲を変更するものである。
【発明の効果】
【００１１】
本発明に係る空調用換気装置によれば、湿度優先モードを設定することにより、室内の炭酸ガス濃度に応じて風量制御を行いつつ、必要な湿度調整能力を得ることができるため、室内を適切な湿度に調節することができる。
【図面の簡単な説明】
【００１２】
【図１】本発明の実施の形態に係る空調用換気装置の内部構成を簡略化した横断面図である。
【図２】本発明の実施の形態に係る空調用換気装置の内部構成を簡略化した縦断面図である。
【図３】本発明の実施の形態に係る空調用換気装置の風量制御を示すフローチャートである。
【発明を実施するための形態】
【００１３】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１４】
実施の形態．
図１は、本発明の実施の形態に係る空調用換気装置の内部構成を簡略化した横断面図、図２は、本発明の実施の形態に係る空調用換気装置の内部構成を簡略化した縦断面図である。なお、図１に記載のＯＡ（Outdoor Air）は外気、ＳＡ（Supply Air）は給気、ＲＡ（Return Air）は環気、ＥＡ（Exhaust Air）は排気をそれぞれ示している。また、図１および図２中の矢印は空気の流れを示している。
【００１５】
空調用換気装置は、空調対象空間（たとえば、家、ビル、倉庫など）の空気を取り込んで空調対象空間外に排出するとともに、空調対象空間外の空気を取り込んで空調対象空間に供給することができるものである。なお、以下の説明においては、空調対象空間が、ビルの室内である場合を例に説明する。また、「外気」は空調用換気装置から室内に供給される給気に対応し、「室内空気」は、空調用換気装置から室外に排出される「排気」に対応する。
【００１６】
以下、本実施の形態に係る空調用換気装置の構成について、図１および図２を用いて説明する。
図１に示す空調用換気装置は、直方体状の本体ケーシング１によって形成され、内部に全熱交換器４を有し、一般的に天井の内側に隠蔽された状態で設置される。空調用換気装置は全熱交換器４の他に、本体ケーシング１を平面視してその長手方向一端面に短手方向に並んで設けられた外気吸込口７および排気吹出口１０と、その一端面と対向する他端面に短手方向に並んで設けられた給気吹出口８および室内空気吸込口９と、全熱交換器４を介して外気吸込口７および給気吹出口８を結ぶ給気風路１７と、全熱交換器４を介して室内空気吸込口９および排気吹出口１０を結ぶ排気風路１８と、給気流を形成する給気用送風機２と、排気流を形成する排気用送風機３と、炭酸ガス濃度を検知する炭酸（ＣＯ２）ガスセンサー２０と、外気の温度を計測する外気温度センサー１１と、外気の湿度を計測する外気湿度センサー１２と、室内の湿度を計測する室内湿度センサー１６と、各種設定を行うリモコン１５と、給気用送風機２および排気用送風機３の風量を制御する制御部１４と、を備えている。
【００１７】
また、本実施の形態に係る空調用換気装置は加湿機能および除湿機能を備えており、給気風路１７の一部で除加湿が行われる除加湿風路１９と、給気流を冷却または加熱する空調コイル５と、給気流を加湿する加湿器６と、を備えている。なお、除湿機能のみを備える場合は、空調コイル５のみでよい。また、空調コイル５、または空調コイル５および加湿器６は本発明の「湿度調整手段」に相当する。
【００１８】
給気風路１７は、外気吸込口７から吸い込んだ外気を給気吹出口８から室内へ給気するための風路で、排気風路１８は、室内空気吸込口９から吸い込んだ室内空気を排気吹出口１０から室外へ排気するための風路である。
全熱交換器４は、例えば平板紙上に波板紙（コルゲートシート）を接着して形成された平板状の給気通路と、同様に平板紙上に波板紙（コルゲートシート）を接着して形成された平板状の排気通路とが互いに直交するように多数積層されたものである。そして、給気風路１７と排気風路１８との間に設置され、給気風路１７を通過する外気と排気風路１８を通過する室内空気との間で全熱交換を行う。なお、全熱交換器４は本発明の「熱交換器」に相当する。
【００１９】
給気用送風機２は、給気風路１７上に設置されて内部に給気用モータ２ａを備えており、給気用モータ２ａが回転すると、外気吸込口７から外気が吸い込まれ、吸い込まれた外気は全熱交換器４を通って給気吹出口８から室内へと給気される。
排気用送風機３は、排気風路１８上に設置されて内部に排気用モータ３ａを備えており、排気用モータ３ａが回転すると、室内空気吸込口９から室内空気が吸い込まれ、吸い込まれた室内空気は全熱交換器４を通って排気吹出口１０から室外へと排気される。
そして、給気用モータ２ａおよび排気用モータ３ａは、制御部１４からの制御に応じて回転速度が可変し、それによって換気風量が変わる。
【００２０】
除加湿風路１９は、給気風路１７の下流側で給気用送風機２と給気吹出口８との間に形成され、図２に示すように側面視して上下に分割されており、上側の上除加湿風路１９ａと下側の下除加湿風路１９ｂからなる。上除加湿風路１９ａは発泡樹脂材２１で覆われており、下除加湿風路１９ｂは発泡樹脂製のドレン皿２２が配置されている。そして、そのドレン皿２２の水受け表面にはプラスチック材が同時形成され、発泡樹脂への浸水を防いだ構造となっている。また、発泡樹脂材２１と加湿器６とは上下方向で嵌め合い構造となっている。
【００２１】
空調コイル５は、除加湿風路１９の給気用送風機２側に配置されており、圧縮機を備えた室外機（図示せず）と冷媒回路を構成しており、空調コイル５と室外機との間で冷媒が循環している。そして、空調コイル５内を循環する冷媒によって、給気風路１７（除加湿風路１９）を通過する空気を冷却したり、加熱したりする。
加湿器６は、除加湿風路１９の給気吹出口８側に配置されており、給気風路１７（除加湿風路１９）を通過する空気を加湿する。なお、加湿器６には給排水チューブ（図示せず）が設けられている。
除湿は、空調コイル５の内部に低温冷媒を通して給気風路１７（除加湿風路１９）を通過する空気を冷却し、空調コイル５に水滴を付着させることにより行われる。なお、空調コイル５に付着した水滴はドレン皿２２に滴下して回収される。一方、加湿は、空調コイル５の内部に高温冷媒を通して給気風路１７（除加湿風路１９）を通過する空気を温め、その空気に加湿器６の給排水チューブから水を供給することにより行われる。
【００２２】
リモコン１５は、運転のＯＮ／ＯＦＦ、優先モードの設定、運転モードの設定、換気風量の設定、運転タイマーの設定などが可能になっている。なお、優先モード、運転モード、および換気風量については後述する。
【００２３】
外気温度センサー１１および外気湿度センサー１２は、外気吸込口７と全熱交換器４との間にそれぞれ設けられている。外気温度センサー１１の温度情報、および外気湿度センサー１２の湿度情報から空調コイル５の加熱能力を決定し、全熱交換器４を通過した空気を加熱する。空調コイル５にて加熱された空気は加湿器６を通過し、加湿された空気となって給気吹出口８より室内へ供給される。その際、空調コイル５の加熱量によって加湿量および吹出し温度が調整される。
室内湿度センサー１６は、室内空気吸込口９と全熱交換器４との間に設けられ、室内の湿度を計測する。
【００２４】
炭酸ガスセンサー２０は、室内空気吸込口９と全熱交換器４との間に設けられ、室内空気の炭酸ガス濃度を検知する。本体ケーシング１の内部に炭酸ガスセンサー２０を設置することは、制御部１４と炭酸ガスセンサー２０とを接続する制御線を最短長にできるなど、施工コストを削減するために最適である。なお、炭酸ガスセンサー２０を室内空間に設置し、制御線を制御部１４に接続して制御するようにしてもよく、この場合は室内空気の炭酸ガス濃度をより正確に検知でき、製品が大きくて重くなるのを防ぐことができる。
【００２５】
制御部１４は、本体ケーシング１側面のメンテナンスができる位置に設けられ、設定された換気風量に応じて、または炭酸ガスセンサー２０から取得した情報（室内空気の炭酸ガス濃度）に応じて、給気用モータ２ａおよび排気用モータ３ａの回転を制御して給気用送風機２および排気用送風機３の風量を制御することにより、室内の換気風量を制御する。
【００２６】
ここで、炭酸ガスセンサー２０から取得した情報に応じて換気風量を制御する方法について、換気風量を制御できる範囲が「強」、「弱」、「微弱」の３段階からなる場合において説明する。
制御部１４は、炭酸ガス濃度から取得した情報が「弱」と「微弱」との間のしきい値以下のときには、換気風量が「微弱」となるように給気用送風機２および排気用送風機３の風量を制御する。また、炭酸ガス濃度から取得した情報が「弱」と「微弱」との間のしきい値を超え、かつ、「強」と「弱」との間のしきい値以下のときには、換気風量が「弱」となるように給気用送風機２および排気用送風機３の風量を制御する。さらに、炭酸ガス濃度から取得した情報が「強」と「弱」との間のしきい値を超えたときには、換気風量が「強」となるように給気用送風機２および排気用送風機３の風量を制御する。
また、制御部１４には優先モード設定用のＤＩＰＳＷ１４ａが設けられている。
【００２７】
次に、本実施の形態に係る空調用換気装置の機能について説明する。
本実施の形態に係る空調用換気装置は、「換気優先」モードおよび「除加湿優先」モードの２つの優先モードを備えている。
「換気優先」モードは、室内の湿度の調整よりも室内の換気風量の調整を優先させるモードであり、「除加湿優先」モードは、室内の換気風量の調整よりも室内の湿度の調整を優先させるモードである。この２つの優先モードは、リモコン１５により設定することができるが、制御部１４に設けられたＤＩＰＳＷ１４ａで予め設定することもできる。そのため、リモコン１５を備えていない空調用換気装置でもＤＩＰＳＷ１４ａにより設定することが可能である。なお、優先モードの「除加湿優先」は、本発明の「湿度優先」に相当する。また、ＤＩＰＳＷ１４ａおよびリモコン１５は、本発明の「優先モード設定手段」に相当する。また、リモコン１５は、本発明の「換気風量設定手段」および「運転モード設定手段」に相当する。
【００２８】
また、「除湿運転」、「加湿運転」、「冷房運転」、「暖房運転」、「除湿運転」の運転モードを備えている。
「除湿運転」は室内の湿度を下げるモードであり、「加湿運転」は室内の湿度を上げるモードであり、「冷房運転」は室内の温度を下げるモードであり、「暖房運転」は室内の温度を上げるモードであり、「送風運転」は室内に空調せずに風を送出するモードである。なお、「送風運転」モード中はサーモＯＮ／ＯＦＦが行われない、つまり、サーモＯＦＦ状態となる。ここで、室外機１台に対して空調用換気装置が１台の構成（つまり１対１）である場合、サーモＯＮとは、空調コイル５と冷媒回路を構成する室外機の圧縮機を動作させることであり、サーモＯＦＦとは、その圧縮機を停止させることである。また、室外機１台に対して空調用換気装置および室内機の総数が複数台の構成（つまり１対複数）である場合において、サーモＯＮとは、ＬＥＶなどの膨張弁（図示せず）を開いてその系統に冷媒を循環させることであり、サーモＯＦＦとは、ＬＥＶなどの膨張弁（図示せず）を閉じてその系統の冷媒の循環を止めることである。
また、「強」、「弱」、「微弱」の３段階に換気風量が設定可能となっている。さらに換気風量は「自動」に設定が可能であり、「自動」に設定されると炭酸ガス濃度に応じて自動で換気風量制御が行われ、その換気風量制御は「強」、「弱」、「微弱」の範囲で行われる。
なお、空調用換気装置の機能は、上記に限定されるものではない。
【００２９】
図３は、本発明の実施の形態に係る空調用換気装置の風量制御を示すフローチャートである。
以下、本実施の形態に係る空調用換気装置の制御フローについて、図３を用いて説明する。
まず、ＤＩＰＳＷ１４ａまたはリモコン１５で優先モードを設定する（Ｓ１）。そして、どちらの優先モードが設定されているかを判定する（Ｓ２）。「換気優先」モードが設定されていたらＳ３へ進む。次に、Ｓ３では換気風量設定が「自動」であるかどうかを判定する。換気風量設定が「自動」でなければＳ４へ進み、設定された換気風量に制御する。一方、換気風量設定が「自動」であればＳ５へ進み、炭酸ガスセンサー２０から室内空気の炭酸ガス濃度の情報を取得する。その後、取得した室内空気の炭酸ガス濃度の情報に応じて「強」、「弱」、「微弱」のいずれかに換気風量を制御する（Ｓ６）。
【００３０】
一方、「除加湿優先」モードが設定されていたらＳ７へ進む。次に、Ｓ７では換気風量設定が「自動」であるかどうかを判定する。換気風量設定が「自動」でなければＳ８へ進み、設定された換気風量に制御する。なお、換気風量設定が「微弱」である場合は、「除加湿優先」モードであっても換気風量を「微弱」に切り替えるとともに、強制的にサーモＯＦＦとする。
一方、換気風量設定が「自動」であればＳ９へ進み、炭酸ガスセンサー２０から室内空気の炭酸ガス濃度の情報を取得する。その後、運転モードが「送風」に設定されているかどうかを判定する（Ｓ１０）。運転モードが「送風」に設定されている場合は、取得した室内空気の炭酸ガス濃度の情報に応じて「強」、「弱」、「微弱」のいずれかに換気風量を制御する（Ｓ１１）。一方、運転モードが「送風」に設定されていない場合は、取得した室内空気の炭酸ガス濃度の情報に応じて「強」、「弱」のいずれかに換気風量を制御する（Ｓ１２）。つまり、優先モードが「除加湿優先」かつ換気風量設定が「自動」で、運転モードが「送風」に設定されていない場合は、換気風量制御は「強」および「弱」の範囲で行われる。つまり、「微弱」の範囲は除外される。
【００３１】
ここで、炭酸ガス濃度に応じて換気風量を制御する時、サーモＯＮの状態で「微弱」にしてしまうと、空調コイル５の容量に対して風量が不足することにより低圧異常または高圧異常が発生し、それが原因で空調コイル５と冷媒回路を構成する室外機の圧縮機が停止してしまう可能性がある。
そこで、上記の風量不足による異常停止となるのを防止するために、優先モードが「除加湿優先」かつ換気風量設定が「自動」で、運転モードが「送風」に設定されていない場合は、「微弱」の範囲を除外する。つまり、換気風量を制御する範囲を、風量不足による異常停止とならない範囲に変更する。
【００３２】
運転モードが「送風」に設定されている場合は、その間はサーモＯＮ／ＯＦＦが行われないが、「送風」以外の場合（例えば「加湿」など）はサーモＯＮ／ＯＦＦが行われる。そのため、「送風」以外の運転モードでは、換気風量設定を「強」、「弱」、「微弱」の３段階とした場合、「除加湿優先」モード時では室内の湿度の調整を優先するためサーモＯＦＦとなり、加湿能力および除湿能力が低くなる「微弱」まで風量を下げないようにする。そして、炭酸ガス濃度に応じて「強」および「弱」のいずれかに換気風量を制御するようにする。つまり、炭酸ガス濃度からは本来であれば換気風量を「微弱」に切り替えるところを、「弱」に切り替えるようにする。なお、「微弱」を「弱」に切り替えるようにしたがそれに限定されるものではなく、換気風量設定が３段階と２段階の場合でしきい値を変えてもよい。
【００３３】
このようにすることで、強制的にサーモＯＦＦとならないため、加湿能力および除湿能力を下げることなく室内の湿度の調整を適切に行うことができる。
また、「送風」の運転モードでは、その間サーモＯＮ／ＯＦＦは行われず換気風量を「微弱」に切り替えても問題ないため、「強」、「弱」、「微弱」の３段階で切り替えることで、室内の換気風量の調整を適切に行うことができる。
また、「加湿」または「除湿」運転中にサーモＯＦＦとなった場合も、「強」および「弱」の２段階とする。
【００３４】
一方、「換気優先」モード時では、室内の換気風量の調整を優先するため、炭酸ガス濃度に応じてできるだけ広い範囲で換気風量を切り替える必要がある。そのため、いずれの運転モードにおいても「強」、「弱」、「微弱」の３段階で切り替える。このように、運転モードにかかわらず換気風量を炭酸ガス濃度に応じて３段階で切り替えることで、室内の換気風量の調整を適切に行うことができる。
【００３５】
なお、室内の湿度情報を室内湿度センサー１６から取得し、その情報が加湿運転時であれば予め設定された湿度を超えた場合、または除湿運転時であれば予め設定された湿度未満の場合は「換気優先」モードに、それ以外の場合は「除加湿優先」モードに自動で切り替えるようにしてもよいし、室内に人感センサーを設置し、その人感センサーから取得した情報が、人の検知ありの場合は「除加湿優先」モードに、人の検知なしの場合は「換気優先」モードに自動で切り替えるようにしてもよい。
【符号の説明】
【００３６】
１  本体ケーシング、２  給気用送風機、２ａ  給気用モータ、３  排気用送風機、３ａ  排気用モータ、４  全熱交換器、５  空調コイル、６  加湿器、７  外気吸込口、８  給気吹出口、９  室内空気吸込口、１０  排気吹出口、１１  外気温度センサー、１２  外気湿度センサー、１４  制御部、１４ａ  ＤＩＰＳＷ、１５  リモコン、１６  室内湿度センサー、１７  給気風路、１８  排気風路、１９  除加湿風路、１９ａ  上除加湿風路、１９ｂ  下除加湿風路、２０  炭酸ガスセンサー、２１  発泡樹脂材、２２  ドレン皿。
【図１】
2015172472.tif 000003
【図２】
2015172472.tif 000004
【図３】
2015172472.tif 000005